(57)【要約】【課題】  同一の遊技機で遊技する遊技者と他の遊技機が排出した遊技玉で遊技する遊技者との差別化を図る。【解決手段】  玉貸機は、通常遊技玉を所定価格で貸し出し、パチンコ機１０が設定値の回数連続して大当たり抽選による大当たり状態を発生しない後に遊技玉を所定価格より安価な特別価格で貸し出す、制御をする。このため、同一のパチンコ機１０で遊技して同一の玉貸機の制御により遊技玉の貸し出しを受ければ、遊技玉が特別価格で貸し出される特典を得る可能性がある。また、他のパチンコ機１０が払い出した遊技玉で遊技する遊技者は、遊技玉の貸し出しを必要としない限り、遊技玉が特別価格で貸し出される特典を得ることがない。これにより、同一のパチンコ機１０で遊技する遊技者と他のパチンコ機１０が払い出した遊技玉で遊技する遊技者との差別化を図ることができる。【選択図】    図１
2005185417.tif 000002
【特許請求の範囲】
【請求項１】
遊技媒体が供給されることで遊技可能とされかつ遊技の賞に伴い遊技媒体を排出可能とされると共に遊技媒体を排出することが容易となる特定遊技状態を特定遊技抽選により発生可能とされた遊技機から情報を入力可能とされた貸出機であって、
遊技媒体を所定価格で貸し出し、前記遊技機が特別回数連続して前記特定遊技抽選による前記特定遊技状態を発生しない後には遊技媒体を所定価格より安価な特別価格で貸し出す、制御をする第１制御手段を備えた、ことを特徴とする貸出機。
【請求項２】
遊技機へ供給されることで前記遊技機での遊技が可能となると共に前記遊技機での遊技の賞に伴い前記遊技機が排出可能とされた遊技媒体を所定価格で貸し出し、特別時間内に貸し出した遊技媒体の数が特別数になった後には遊技媒体を所定価格より安価な特別価格で貸し出す、制御をする第２制御手段を備えた貸出機。
【請求項３】
遊技媒体が供給されることで遊技可能とされ、遊技の賞に伴い遊技媒体を排出可能とされると共に、遊技媒体を排出することが容易となる特定遊技状態を特定遊技抽選により発生可能とされた遊技機であって、
遊技媒体を所定価格で貸し出し、特別回数連続して前記特定遊技抽選による前記特定遊技状態を発生しない後には遊技媒体を所定価格より安価な特別価格で貸し出す、制御をする第３制御手段を備えた、ことを特徴とする遊技機。
【請求項４】
遊技媒体が供給されることで遊技が可能となると共に遊技の賞に伴い遊技媒体を排出可能とされた遊技機であって、
遊技媒体を所定価格で貸し出し、特別時間内に貸し出した遊技媒体の数が特別数になった後には遊技媒体を所定価格より安価な特別価格で貸し出す、制御をする第４制御手段を備えた、ことを特徴とする遊技機。
【発明の詳細な説明】
【技術分野】
【０００１】
本発明は、遊技媒体を貸し出す制御をする貸出機及び遊技機に関する。
【背景技術】
【０００２】
パチンコ遊技機としては、図柄変動表示器が変動表示の後に停止表示する３つの図柄が所定の図柄の組み合わせに揃った場合に、大当たり状態を発生するものがある（例えば、特許文献１参照）。
【０００３】
このパチンコ遊技機では、図柄変動表示器が３つの図柄を変動表示した回数を図柄変動回数計数手段が計数すると共に、大当たり状態が発生した際に図柄変動回数計数手段の計数値が初期値に戻される。さらに、図柄変動回数計数手段の計数値が例えば１０００回になった際（図柄変動表示器が３つの図柄を何回も変動表示しているのに大当たり状態が発生しない際）には、大当たり状態が発生する確率（図柄変動表示器が変動表示の後に停止表示する３つの図柄が所定の図柄の組み合わせになる確率）を、高確率に切り換える構成である。
【０００４】
しかしながら、このパチンコ遊技機では、大当たり状態が発生する確率が高確率に切り換わる直前に、他のパチンコ遊技機で獲得した景品球で遊技者が遊技すると、すぐに大当たり状態が発生する確率が高確率に切り換わって、当該遊技者が更に景品球を獲得することができる。このため、同一のパチンコ遊技機で遊技する遊技者と他のパチンコ遊技機で獲得した景品球で遊技する遊技者との差別化が図れないのみならず、遊技場の売り上げが上がらないという問題がある。
【０００５】
さらに、大当たり状態が発生する確率を高確率に切り換える際の図柄変動回数計数手段の計数値を、遊技場で設定することができない。このため、他の遊技場との差別化を図れないという問題もある。
【特許文献１】特開２０００−３７５１５公報
【発明の開示】
【発明が解決しようとする課題】
【０００６】
本発明は、上記事実を考慮し、同一の遊技機で遊技する遊技者と他の遊技機が排出した遊技媒体で遊技する遊技者との差別化を図ることができる貸出機及び遊技機を得ることが目的である。
【課題を解決するための手段】
【０００７】
請求項１に記載の貸出機は、遊技媒体が供給されることで遊技可能とされかつ遊技の賞に伴い遊技媒体を排出可能とされると共に遊技媒体を排出することが容易となる特定遊技状態を特定遊技抽選により発生可能とされた遊技機から情報を入力可能とされた貸出機であって、遊技媒体を所定価格で貸し出し、前記遊技機が特別回数連続して前記特定遊技抽選による前記特定遊技状態を発生しない後には遊技媒体を所定価格より安価な特別価格で貸し出す、制御をする第１制御手段を備えた、ことを特徴としている。
【０００８】
請求項２に記載の貸出機は、遊技機へ供給されることで前記遊技機での遊技が可能となると共に前記遊技機での遊技の賞に伴い前記遊技機が排出可能とされた遊技媒体を所定価格で貸し出し、特別時間内に貸し出した遊技媒体の数が特別数になった後には遊技媒体を所定価格より安価な特別価格で貸し出す、制御をする第２制御手段を備えている。
【０００９】
請求項３に記載の遊技機は、遊技媒体が供給されることで遊技可能とされ、遊技の賞に伴い遊技媒体を排出可能とされると共に、遊技媒体を排出することが容易となる特定遊技状態を特定遊技抽選により発生可能とされた遊技機であって、遊技媒体を所定価格で貸し出し、特別回数連続して前記特定遊技抽選による前記特定遊技状態を発生しない後には遊技媒体を所定価格より安価な特別価格で貸し出す、制御をする第３制御手段を備えた、ことを特徴としている。
【００１０】
請求項４に記載の遊技機は、遊技媒体が供給されることで遊技が可能となると共に遊技の賞に伴い遊技媒体を排出可能とされた遊技機であって、遊技媒体を所定価格で貸し出し、特別時間内に貸し出した遊技媒体の数が特別数になった後には遊技媒体を所定価格より安価な特別価格で貸し出す、制御をする第４制御手段を備えた、ことを特徴としている。
【発明の効果】
【００１１】
請求項１に記載の貸出機では、遊技機から情報を入力可能とされており、遊技機は、遊技媒体が供給されることで遊技可能とされ、かつ、遊技の賞に伴い遊技媒体を排出可能とされると共に、遊技媒体を排出することが容易となる特定遊技状態を特定遊技抽選により発生可能とされている。
【００１２】
ここで、貸出機の第１制御手段は、遊技媒体を所定価格で貸し出し、遊技機が特別回数連続して特定遊技抽選による特定遊技状態を発生しない後には、遊技媒体を所定価格より安価な特別価格で貸し出す、制御をする。
【００１３】
このため、特定遊技抽選による特定遊技状態が発生せずに遊技媒体の貸し出しを必要とする遊技者は、同一の遊技機で遊技して同一の貸出機の第１制御手段の制御により遊技媒体の貸し出しを受ければ、遊技媒体が特別価格で貸し出される特典を得る可能性がある。また、他の遊技機が排出した遊技媒体で遊技する遊技者は、特定遊技抽選による特定遊技状態が発生せずに遊技媒体の貸し出しを必要としない限り、遊技媒体が特別価格で貸し出される特典を得ることがない。
【００１４】
これにより、同一の遊技機で遊技する遊技者と他の遊技機が排出した遊技媒体で遊技する遊技者との差別化を図ることができる。さらに、上述の如く他の遊技機が排出した遊技媒体で遊技する遊技者も遊技媒体の貸し出しを必要としない限り特典を得ることがないため、遊技場の売り上げを促進することができる。
【００１５】
請求項２に記載の貸出機では、第２制御手段が遊技媒体の貸し出しを制御可能とされており、遊技媒体は、遊技機へ供給されることで遊技機での遊技が可能となると共に、遊技機での遊技の賞に伴い遊技機が排出可能とされている。
【００１６】
ここで、貸出機の第２制御手段は、遊技媒体を所定価格で貸し出し、特別時間内に貸し出した遊技媒体の数が特別数になった後には、遊技媒体を所定価格より安価な特別価格で貸し出す、制御をする。
【００１７】
このため、遊技媒体の貸し出しを必要とする遊技者は、同一の遊技機で遊技して同一の貸出機の第２制御手段の制御により遊技媒体の貸し出しを受ければ、遊技媒体が特別価格で貸し出される特典を得る可能性がある。また、他の遊技機が排出した遊技媒体で遊技する遊技者は、遊技媒体の貸し出しを必要としない限り、遊技媒体が特別価格で貸し出される特典を得ることがない。
【００１８】
これにより、同一の遊技機で遊技する遊技者と他の遊技機が排出した遊技媒体で遊技する遊技者との差別化を図ることができる。さらに、上述の如く他の遊技機が排出した遊技媒体で遊技する遊技者も遊技媒体の貸し出しを必要としない限り特典を得ることがないため、遊技場の売り上げを促進することができる。
【００１９】
請求項３に記載の遊技機では、遊技媒体が供給されることで遊技可能とされており、遊技の賞に伴い遊技媒体を排出可能とされると共に、遊技媒体を排出することが容易となる特定遊技状態を特定遊技抽選により発生可能とされている。
【００２０】
ここで、遊技機の第３制御手段は、遊技媒体を所定価格で貸し出し、遊技機が特別回数連続して特定遊技抽選による特定遊技状態を発生しない後には、遊技媒体を所定価格より安価な特別価格で貸し出す、制御をする。
【００２１】
このため、特定遊技抽選による特定遊技状態が発生せずに遊技媒体の貸し出しを必要とする遊技者は、同一の遊技機で遊技すれば、遊技媒体が特別価格で貸し出される特典を得る可能性がある。また、他の遊技機が排出した遊技媒体で遊技する遊技者は、特定遊技抽選による特定遊技状態が発生せずに遊技媒体の貸し出しを必要としない限り、遊技媒体が特別価格で貸し出される特典を得ることがない。
【００２２】
これにより、同一の遊技機で遊技する遊技者と他の遊技機が排出した遊技媒体で遊技する遊技者との差別化を図ることができる。さらに、上述の如く他の遊技機が排出した遊技媒体で遊技する遊技者も遊技媒体の貸し出しを必要としない限り特典を得ることがないため、遊技場の売り上げを促進することができる。
【００２３】
請求項４に記載の遊技機では、遊技媒体が供給されることで遊技可能とされており、遊技の賞に伴い遊技媒体を排出可能とされている。
【００２４】
ここで、遊技機の第４制御手段は、遊技媒体を所定価格で貸し出し、特別時間内に貸し出した遊技媒体の数が特別数になった後には、遊技媒体を所定価格より安価な特別価格で貸し出す、制御をする。
【００２５】
このため、遊技媒体の貸し出しを必要とする遊技者は、同一の遊技機で遊技すれば、遊技媒体が特別価格で貸し出される特典を得る可能性がある。また、他の遊技機が排出した遊技媒体で遊技する遊技者は、遊技媒体の貸し出しを必要としない限り、遊技媒体が特別価格で貸し出される特典を得ることがない。
【００２６】
これにより、同一の遊技機で遊技する遊技者と他の遊技機が排出した遊技媒体で遊技する遊技者との差別化を図ることができる。さらに、上述の如く他の遊技機が排出した遊技媒体で遊技する遊技者も遊技媒体の貸し出しを必要としない限り特典を得ることがないため、遊技場の売り上げを促進することができる。
【発明を実施するための最良の形態】
【００２７】
［第１の実施の形態］
図１には、本発明の第１の実施の形態に係る遊技機としてのパチンコ機１０が一部取り外された状態の正面図にて示されており、図２には、パチンコ機１０の概略が正面図にて示されると共に本発明の第１の実施の形態に係る貸出機としての玉貸機１２における制御系の概略がブロック図にて示されている。
【００２８】
本実施の形態に係るパチンコ機１０は、上部に遊技盤１４を備えると共に、右側下部に発射ハンドル１６を備えている。
【００２９】
図１に示す如く、遊技盤１４には、略円状の遊技領域１８が形成されており、遊技領域１８は外側の外バンド２０及び内側の内バンド２２によって囲まれている。ここで、パチンコ機１０に遊技者が遊技媒体としての遊技玉（図示省略）を供給した状態で発射ハンドル１６を操作する（回転させる）ことで、遊技玉が発射されて、遊技玉が外バンド２０と内バンド２２との間を介して遊技盤１４の遊技領域１８に上方から供給される。
【００３０】
遊技盤１４の遊技領域１８には、略中央において役物２４が設けられており、役物２４には、上側において普通図柄表示装置２６が設けられると共に、下側において特別図柄表示装置２８が設けられている。
【００３１】
遊技盤１４の遊技領域１８には、役物２４の下方において始動口３０が設けられると共に、始動口３０の左右両側方において通過装置３２が設けられており、始動口３０は開口量を拡大可能とされている。遊技盤１４の遊技領域１８には、左右両側下部において単入賞口３４が設けられると共に、左右中央下部において大入賞口３６が設けられており、大入賞口３６は、閉鎖されると共に、内部にＶゾーン（図示省略）が設けられている。遊技盤１４の遊技領域１８には、最下端においてアウト口３８が設けられており、遊技領域１８の最下端に到達した遊技玉はアウト口３８から排出される。また、始動口３０、単入賞口３４、大入賞口３６は、球技玉が入賞（遊技の賞）することで、遊技者が所定の球技玉を獲得できる。
【００３２】
さらに、パチンコ機１０には、貸玉ボタン４０が設けられている。
【００３３】
ここで、始動口３０に遊技玉が入賞することで、特別図柄表示装置２８で複数（本実施の形態では３つ）の図柄（数字等の文字及びマーク等）が回転表示（変動表示）された後停止表示されて、大当たり抽選（特定遊技抽選）が行われる。
【００３４】
特別図柄表示装置２８で停止表示された複数の図柄が特定の図柄の組み合わせ（例えば「７」「７」「７」等の同一図柄の組み合わせ）である場合には、大当たり状態（特定遊技状態）が発生されることで、大入賞口３６が所定時間開放される。これにより、大入賞口３６へ遊技玉が入賞することで、大入賞口３６に入賞した遊技玉の数に応じた遊技玉が払い出されて（排出されて）、遊技者が当該数の遊技玉を獲得する。このように、大当たり状態では、大入賞口３６が開放されるため、パチンコ機１０が遊技玉を払い出すことが容易となる。また、大入賞口３６が開放された際にＶゾーンに遊技玉が入賞することで、大当たり状態が継続される。
【００３５】
通過装置３２を遊技玉が通過した際には、普通図柄表示装置２６で所定数（本実施の形態では１つ）の図柄（数字等の文字または絵柄等）が変動表示された後停止表示されて、小当たり抽選が行われる。
【００３６】
普通図柄表示装置２６で停止表示された所定数の図柄が所定の図柄（例えば「７」等）または所定の図柄の組み合わせ（例えば同一図柄の組み合わせ）である場合には、小当たり状態が発生されることで、始動口３０の開口が拡大される。これにより、始動口３０に遊技玉が入賞する確率が高くなる。
【００３７】
単入賞口３４に遊技玉が入賞した際には、対応数の遊技玉が払い出されて、遊技者が対応数の遊技玉を獲得する。
【００３８】
図２に示す如く、パチンコ機１０には、玉貸機１２が併設されている。玉貸機１２内には、第１制御手段としての貸玉数制御部４２が設けられており、貸玉数制御部４２には処理部４４が設けられている。処理部４４には回数カウンタ４６及び判断部４８が設けられており、回数カウンタ４６と判断部４８とは電気的に接続されている。
【００３９】
貸玉数制御部４２には回転信号検出装置５０が設けられており、回転信号検出装置５０はパチンコ機１０の特別図柄表示装置２８に電気的に接続されている。特別図柄表示装置２８で複数の図柄が回転表示された後停止表示されて大当たり抽選が行われた際には、特別図柄表示装置２８が回転信号検出装置５０へ情報としての回転信号（変動表示信号）を出力することで、回転信号検出装置５０が回転信号を検出する。
【００４０】
回転信号検出装置５０は回数カウンタ４６に電気的に接続されており、回転信号検出装置５０が回転信号を検出した際に回数カウンタ４６へ回転信号を出力することで、回数カウンタ４６が、回転信号を検出すると共に、回転信号を判断部４８へ出力する。これにより、判断部４８は、回数カウンタ４６から回転信号が入力される毎に、回転信号のカウント値（回転値または回転数）を［０］から［１］ずつ増加させる（更新する）。
【００４１】
貸玉数制御部４２には大当信号検出装置５２が設けられており、大当信号検出装置５２はパチンコ機１０の特別図柄表示装置２８に電気的に接続されている。特別図柄表示装置２８で停止表示された複数の図柄が特定の図柄の組み合わせになって大当たり状態が発生された際には、特別図柄表示装置２８が大当信号検出装置５２へ情報としての大当信号を出力することで、大当信号検出装置５２が大当信号を検出する。大当信号検出装置５２は判断部４８に電気的に接続されており、大当信号検出装置５２が大当信号を検出した際に判断部４８へ大当信号を出力することで、判断部４８が、回転信号のカウント値をリセットする（［０］に戻す）。
【００４２】
貸玉数制御部４２には、回転値表示装置５４が設けられている。回転値表示装置５４は処理部４４に電気的に接続されており、回転値表示装置５４は、判断部４８における回転信号のカウント値を、回転値または回転数として、表示可能とされている。
【００４３】
貸玉数制御部４２には設定値入力装置５６（特定回数設定手段）が設けられており、設定値入力装置５６では、パチンコ機１０が設置された遊技場（ホール）の職員によって、特別回数としての設定値（例えば［１０００］）が入力される。設定値入力装置５６は判断部４８に電気的に接続されており、設定値入力装置５６で設定値が入力されることで、設定値入力装置５６が判断部４８へ設定値を出力して、判断部４８で設定値が設定される。
【００４４】
貸玉数制御部４２には貸玉要求信号検出装置５８が設けられており、貸玉要求信号検出装置５８はパチンコ機１０の貸玉ボタン４０に電気的に接続されている。遊技玉の貸し出しを要求する遊技者が貸玉ボタン４０を操作（押圧）した際には、貸玉ボタン４０が貸玉要求信号検出装置５８へ情報としての貸玉要求信号を出力することで、貸玉要求信号検出装置５８が貸玉要求信号を検出する。貸玉要求信号検出装置５８は判断部４８に電気的に接続されており、貸玉要求信号検出装置５８が貸玉要求信号を検出した際には、貸玉要求信号検出装置５８が判断部４８へ貸玉要求信号を出力する。
【００４５】
貸玉数制御部４２には貸玉数信号出力装置６０が設けられており、貸玉数信号出力装置６０は判断部４８に電気的に接続されている。貸玉要求信号検出装置５８から判断部４８へ貸玉要求信号が出力された際には、判断部４８が、設定された設定値以上に回転信号のカウント値がなったか否かを判断して、貸玉数信号出力装置６０へ貸玉数信号を出力する。貸玉数信号出力装置６０はパチンコ機１０に電気的に接続されており、判断部４８から貸玉数信号出力装置６０へ貸玉数信号が出力された際には、貸玉数信号出力装置６０がパチンコ機１０へ貸玉数信号を出力することで、パチンコ機１０が遊技者へ遊技玉を貸し出す（払い出す）。
【００４６】
これにより、判断部４８における回転信号のカウント値が設定された設定値未満である際には、貸玉数信号の指示により、遊技者へ遊技玉が所定価格（本実施の形態では２５個で１０００円）で貸し出される。一方、判断部４８における回転信号のカウント値が設定された設定値以上である際には、貸玉数信号の指示により、遊技者へ遊技玉が所定価格よりも安価な特別価格（本実施の形態では２８個で１０００円）で貸し出される。
【００４７】
なお、処理部４４は、遊技場の管理コンピュータ６２（ホールコンピュータ）に接続されており、処理部４４は管理コンピュータ６２へ外部情報を出力する構成である。
【００４８】
次に、本実施の形態の作用を説明する。
【００４９】
本実施の形態に係るパチンコ機１０では、遊技者が遊技玉を供給した状態で発射ハンドル１６を操作することで、遊技玉が、発射されて外バンド２０と内バンド２２との間を介して遊技盤１４の遊技領域１８に上方から供給される。始動口３０に遊技玉が入賞した際には、特別図柄表示装置２８において、複数の図柄が変動表示された後停止表示されて、大当たり抽選が行われる。
【００５０】
特別図柄表示装置２８で停止表示された複数の図柄が特定の図柄の組み合わせである場合には、大当たり状態が発生されて、大入賞口３６が所定時間開放されることで、大入賞口３６へ遊技玉が入賞可能になって、パチンコ機１０が遊技玉を払い出すことが容易となる。
【００５１】
本実施の形態に係る玉貸機１２の貸玉数制御部４２では、図３に示すフローチャートに従って、玉貸制御処理が行われる。
【００５２】
すなわち、先ず、ステップ１００において、回転値表示装置５４が判断部４８における回転信号のカウント値（回転数）を表示する。次に、ステップ１０２において、設定値入力装置５６に設定値が入力されたか否かが判断される。ステップ１０２において設定値入力装置５６に設定値が入力されたと判断された際には、ステップ１０４において、設定値入力装置５６から判断部４８へ設定値が出力されて判断部４８が設定値を更新する。一方、ステップ１０２において設定値入力装置５６に設定値が入力されていないと判断された際には、判断部４８が設定値を更新しない。
【００５３】
次に、ステップ１０６において、特別図柄表示装置２８が大当たり抽選を行った際に出力する回転信号を、回転信号検出装置５０が検出したか否かが判断される。
【００５４】
ステップ１０６において回転信号検出装置５０が回転信号を検出したと判断された際には、ステップ１０８において、回転信号検出装置５０が回転信号を回数カウンタ４６を介して判断部４８へ出力することで、判断部４８が回転信号のカウント値を［１］だけ増加させて更新する。一方、ステップ１０６において回転信号検出装置５０が回転信号を検出していないと判断された際には、判断部４８が回転信号のカウント値を更新しない。
【００５５】
次に、ステップ１１０において、大当たり状態が発生された際に特別図柄表示装置２８が出力する大当信号を大当信号検出装置５２が検出したか否かが判断される。
【００５６】
ステップ１１０において大当信号検出装置５２が大当信号を検出したと判断された際には、ステップ１１２において、大当信号検出装置５２が判断部４８へ大当信号を出力することで、判断部４８が回転信号のカウント値をリセットする（［０］に戻す）。一方、ステップ１１０において大当信号検出装置５２が大当信号を検出していないと判断された際には、判断部４８が回転信号のカウント値をリセットしない。
【００５７】
以上のステップ１００からステップ１１２までの処理は、繰り返し行われる。
【００５８】
次に、ステップ１１４において、遊技者が貸玉ボタン４０を操作した際に貸玉ボタン４０が出力する貸玉要求信号を、貸玉要求信号検出装置５８が検出したか否かが判断される。
【００５９】
ステップ１１４において貸玉要求信号検出装置５８が貸玉要求信号を検出したと判断された際には、ステップ１１６において、貸玉要求信号検出装置５８が判断部４８へ貸玉要求信号を出力することで、判断部４８における回転信号のカウント値が設定された設定値以上であるか否かが判断される。一方、ステップ１１４において貸玉要求信号検出装置５８が貸玉要求信号を検出していないと判断された際には、判断部４８における回転信号のカウント値が設定された設定値以上であるか否かが判断されない。
【００６０】
ステップ１１６において判断部４８における回転信号のカウント値が設定された設定値未満であると判断された際には、ステップ１１８において、判断部４８が、出力する貸玉数信号の指示を、遊技者へ貸し出す遊技玉の価格を所定価格（２５個で１０００円）にすることに、セットする。一方、ステップ１１６において判断部４８における回転信号のカウント値が設定された設定値以上であると判断された際には、ステップ１２０において、判断部４８が、出力する貸玉数信号の指示を、遊技者へ貸し出す遊技玉の価格を特別価格（２８個で１０００円）にすることに、セットする。
【００６１】
次に、ステップ１２２において、判断部４８が、ステップ１１８またはステップ１２０においてセットした指示の貸玉数信号を、貸玉数信号出力装置６０を介してパチンコ機１０へ出力することで、当該貸玉数信号の指示に基づき、パチンコ機１０が遊技者へ遊技玉を貸し出す。
【００６２】
これにより、玉貸機１２の貸玉数制御部４２は、通常遊技玉を所定価格で貸し出し、パチンコ機１０が設定値入力装置５６での設定値の回数連続して大当たり抽選による大当たり状態を発生しない後には、大当たり状態が発生するまで、遊技玉を所定価格より安価な特別価格で貸し出す、制御をする。
【００６３】
このため、何度も大当たり抽選が行われているのに長時間大当たり状態が発生していない遊技者の遊技意欲が損なわれることを減少させることができる。しかも、何度も大当たり抽選が行われているのに長時間大当たり状態が発生していないパチンコ機１０であっても放置されることが減少し、パチンコ機１０の稼働率を向上させることができる。
【００６４】
さらに、大当たり抽選による大当たり状態が発生せずに遊技玉の貸し出しを必要とする遊技者は、同一のパチンコ機１０で遊技して同一の玉貸機１２の貸玉数制御部４２の制御により遊技玉の貸し出しを受ければ、遊技玉が特別価格で貸し出される特典を得る可能性がある。また、他のパチンコ機１０が払い出した遊技玉で遊技する遊技者は、大当たり抽選による大当たり状態が発生せずに遊技玉の貸し出しを必要としない限り、遊技玉が特別価格で貸し出される特典を得ることがない。
【００６５】
これにより、同一のパチンコ機１０で遊技する遊技者と他のパチンコ機１０が払い出した遊技玉で遊技する遊技者との差別化を図ることができる。さらに、上述の如く他のパチンコ機１０が払い出した遊技玉で遊技する遊技者も遊技玉の貸し出しを必要としない限り特典を得ることがないため、遊技場の売り上げを促進することができる。
【００６６】
また、遊技場の職員が設定値入力装置５６から設定値を入力設定できるため、他の遊技場との差別化を図ることができる。
【００６７】
なお、本実施の形態では、玉貸機１２の貸玉数制御部４２が、通常遊技玉を所定価格で貸し出し、パチンコ機１０が設定値の回数連続して大当たり抽選による大当たり状態を発生しない後には、遊技玉を所定価格より安価な特別価格で貸し出す、制御をする構成としたが、玉貸機（貸出機）の貸玉数制御部（第２制御手段）が、通常遊技玉（遊技媒体）を所定価格で貸し出し、特定時間内に貸し出した遊技玉の数が特定数になった後（遊技玉の貸し出しによる売り上げが特定売り上げになった後）には、遊技玉を所定価格より安価な特別価格で貸し出す、制御をする構成としてもよい。この場合、例えば、遊技玉を特別価格で貸し出す制御は、次に大当たり状態（特定遊技状態）が発生するまで行われ、かつ、当該次の大当たり状態が発生した際には、前記特定時間及び前記貸し出した遊技玉の数（遊技玉の貸し出しによる売り上げ）が、改めてゼロからカウントされる。
【００６８】
［第２の実施の形態］
図４には、本発明の第２の実施の形態に係る遊技機としてのパチンコ機８０の概略が正面図にて示されると共に、パチンコ機８０及び本発明の第２の実施の形態に係る玉貸機８２における制御系の概略がブロック図にて示されている。
【００６９】
本実施の形態に係るパチンコ機８０及び玉貸機８２は、上記第１の実施の形態に係るパチンコ機１０及び玉貸機１２と、以下の点で異なる。
【００７０】
パチンコ機１０内には、第３制御手段としての貸玉数制御部８４が設けられており、貸玉数制御部８４は、上記第１の実施の形態における貸玉数制御部４２とほぼ同様の構成とされている。
【００７１】
貸玉数制御部８４の判断部４８はパチンコ機８０の貸玉ボタン４０に電気的に接続されており、遊技玉の貸し出しを要求する遊技者が貸玉ボタン４０を操作（押圧）した際には、判断部４８が、設定された設定値以上に回転信号のカウント値がなったか否かを判断する。
【００７２】
貸玉要求信号検出装置５８及び貸玉数信号出力装置６０は、玉貸機８２内に設けられており、貸玉要求信号検出装置５８は貸玉ボタン４０に電気的に接続されている。また、貸玉数制御部８４には貸玉数信号検出装置８６が設けられており、貸玉数信号検出装置８６は貸玉数信号出力装置６０及び判断部４８に電気的に接続されている。遊技者が貸玉ボタン４０を操作した際には、貸玉ボタン４０が貸玉要求信号検出装置５８へ貸玉要求信号を出力することで、貸玉要求信号検出装置５８が貸玉要求信号を検出すると共に、貸玉数信号出力装置６０が貸玉数信号検出装置８６へ貸玉数信号を出力することで、貸玉数信号検出装置８６が貸玉数信号を検出して判断部４８へ出力する。
【００７３】
貸玉数制御部８４には貸玉払出装置８８が設けられており、貸玉払出装置８８は処理部４４に電気的に接続されている。貸玉数信号検出装置８６から判断部４８へ貸玉数信号が出力された際には、処理部４４の制御によって、貸玉払出装置８８が遊技玉を貸し出す（払い出す）。
【００７４】
これにより、判断部４８における回転信号のカウント値が設定された設定値未満である際には、遊技者へ遊技玉が所定価格（本実施の形態では２５個で１０００円）で貸し出される。一方、判断部４８における回転信号のカウント値が設定された設定値以上である際には、遊技者へ遊技玉が所定価格よりも安価な特別価格（本実施の形態では２８個で１０００円）で貸し出される。
【００７５】
なお、上記第１の実施の形態と同様に、処理部４４は、遊技場の管理コンピュータ６２に接続されており、処理部４４は管理コンピュータ６２へ外部情報を出力する構成である。
【００７６】
次に、本実施の形態の作用を説明する。
【００７７】
本実施の形態に係るパチンコ機８０でも、上記第１の実施の形態におけるパチンコ機１０と同様に遊技が行われる。
【００７８】
パチンコ機８０の貸玉数制御部８４では、図５に示すフローチャートに従って、玉貸制御処理が行われる。
【００７９】
パチンコ機８０の貸玉数制御部８４でも、上記第１の実施の形態における玉貸機１２の貸玉数制御部４２と同様に、ステップ１００からステップ１１２までの処理が繰り返し行われる。
【００８０】
次に、ステップ１３０において、貸玉ボタン４０が操作されたか否かが判断される。
【００８１】
ステップ１３０において貸玉ボタン４０が操作されたと判断された際には、ステップ１３２において判断部４８における回転信号のカウント値が設定された設定値以上であるか否かが判断される。一方、ステップ１３０において貸玉ボタン４０が操作されていないと判断部４８が判断した際には、判断部４８における回転信号のカウント値が設定された設定値以上であるか否かが判断されない。
【００８２】
ステップ１３２において判断部４８における回転信号のカウント値が設定された設定値未満であると判断された際には、ステップ１３４において、処理部４４による貸玉払出装置８８の制御を、遊技者へ貸し出す遊技玉の価格を所定価格（２５個で１０００円）にすることに、セットする。一方、ステップ１３２において判断部４８における回転信号のカウント値が設定された設定値以上であると判断された際には、ステップ１３６において、処理部４４による貸玉払出装置８８の制御を、遊技者へ貸し出す遊技玉の価格を特別価格（２８個で１０００円）にすることに、セットする。
【００８３】
次に、ステップ１３８において、遊技者が貸玉ボタン４０を操作して貸玉ボタン４０から出力された貸玉要求信号を貸玉要求信号検出装置５８が検出した際に、貸玉数信号出力装置６０から出力された貸玉数信号を、貸玉数信号検出装置８６が検出したか否かが判断される。
【００８４】
ステップ１３８において貸玉数信号検出装置８６が貸玉数信号を検出したと判断された際には、ステップ１４０において、貸玉数信号検出装置８６が貸玉数信号を判断部４８へ出力することで、処理部４４がステップ１３４またはステップ１３６でセットされた内容で貸玉払出装置８８を制御して、貸玉払出装置８８が遊技者へ遊技玉を貸し出す。一方、ステップ１３８において貸玉数信号検出装置８６が貸玉数信号を検出していないと判断された際には、貸玉払出装置８８が遊技者へ遊技玉を貸し出さない。
【００８５】
これにより、パチンコ機８０の貸玉数制御部８４は、通常遊技玉を所定価格で貸し出し、パチンコ機１０が設定値入力装置５６での設定値の回数連続して大当たり抽選による大当たり状態を発生しない後には、大当たり状態が発生するまで、遊技玉を所定価格より安価な特別価格で貸し出す、制御をする。
【００８６】
このため、本実施の形態でも、上記第１の実施の形態と同様の効果を得ることができる。
【００８７】
なお、本実施の形態では、パチンコ機８０の貸玉数制御部８４が、通常遊技玉を所定価格で貸し出し、パチンコ機８０が設定値の回数連続して大当たり抽選による大当たり状態を発生しない後には、遊技玉を所定価格より安価な特別価格で貸し出す、制御をする構成としたが、パチンコ機（遊技機）の貸玉数制御部（第４制御手段）が、通常遊技玉（遊技媒体）を所定価格で貸し出し、特定時間内に貸し出した遊技玉の数が特定数になった後（遊技玉の貸し出しによる売り上げが特定売り上げになった後）には、遊技玉を所定価格より安価な特別価格で貸し出す、制御をする構成としてもよい。この場合、例えば、遊技玉を特別価格で貸し出す制御は、次に大当たり状態（特定遊技状態）が発生するまで行われ、かつ、当該次の大当たり状態が発生した際には、前記特定時間及び前記貸し出した遊技玉の数（遊技玉の貸し出しによる売り上げ）が、改めてゼロからカウントされる。
【００８８】
また、上記第１の実施の形態及び第２の実施の形態では、遊技機をパチンコ機１０とした構成としたが、遊技機をスロットマシーン等の他の遊技機とした構成としてもよい。
【図面の簡単な説明】
【００８９】
【図１】本発明の第１の実施の形態に係るパチンコ機を示す一部取り外された状態の正面図である。
【図２】本発明の第１の実施の形態に係るパチンコ機の概略を示す正面図及び本発明の第１の実施の形態に係る玉貸機における制御系の概略がブロック図にて示されている。
【図３】本発明の第１の実施の形態に係る玉貸機の貸玉数制御部における玉貸制御処理の手順を示すフローチャートである。
【図４】本発明の第２の実施の形態に係るパチンコ機の概略を示す正面図及び本発明の第２の実施の形態に係るパチンコ機及び玉貸機における制御系の概略を示すブロック図である。
【図５】本発明の第２の実施の形態に係るパチンコ機の貸玉数制御部における玉貸制御処理の手順を示すフローチャートである。
【符号の説明】
【００９０】
１０    パチンコ機（遊技機）
１２    玉貸機（貸出機）
４２    貸玉数制御部（第１制御手段）
８０    パチンコ機（遊技機）
８４    貸玉数制御部（第３制御手段）
【図１】
2005185417.tif 000003
【図２】
2005185417.tif 000004
【図３】
2005185417.tif 000005
【図４】
2005185417.tif 000006
【図５】
2005185417.tif 000007